(57)【要約】【課題】  撮影者の属性に応じて撮像倍率をより適切に決定可能な撮像装置を提供する。【解決手段】  撮像装置１００は、被写体を撮像して第１の画像情報を取得する第１の撮像部１０と、撮影者の属性を表す少なくとも１つのユーザ情報を記憶する記憶部５０と、撮影倍率情報を検出する第１の検出部４１と、前記少なくとも１つのユーザ情報及び前記撮影倍率情報に基づき撮影倍率を決定する決定部４８と、を含む。【選択図】  図１
2011244271.tif 000002
【特許請求の範囲】
【請求項１】
被写体を撮像して第１の画像情報を取得する第１の撮像部と、
撮影者の属性を表す少なくとも１つのユーザ情報を記憶する記憶部と、
撮影倍率情報を検出する第１の検出部と、
前記少なくとも１つのユーザ情報及び前記撮影倍率情報に基づき撮影倍率を決定する決定部と、
を含むことを特徴とする撮像装置。
【請求項２】
請求項１において、
前記決定部は、前記少なくとも１つのユーザ情報に基づき前記撮像倍率の変化率及び前記撮影倍率情報の少なくとも１つを設定し、前記撮像倍率の変化率及び前記撮影倍率情報に基づき前記撮像倍率を決定することを特徴とする撮像装置。
【請求項３】
請求項１または２において
前記撮影者の年齢、性別及びユーザサイズの少なくとも１つを検出する第２の検出部を、
さらに含み、
前記少なくとも１つのユーザ情報は、各々が前記撮影者の属性を表し、且つ前記撮影者の年齢、性別及びユーザサイズの何れかに対応する、少なくとも２つのユーザ情報であり、
前記決定部は、前記第２の検出部の検出結果に基づき前記少なくとも２つのユーザ情報の何れか１つを選択することを特徴とする撮像装置。
【請求項４】
請求項３において、
前記撮影者の年齢、性別及びユーザサイズの前記少なくとも１つは、前記撮影者の年齢であり、
前記少なくとも２つのユーザ情報は、第１の閾値未満の年齢に属する第１のユーザ情報と、前記第１の閾値以上第２の閾値未満の年齢に属する第２のユーザ情報と、を有し、
前記第２の検出部によって検出された前記撮影者の前記年齢が前記第１のユーザ情報に対応する時の前記撮像倍率の変化率は、前記第２の検出部によって検出された前記撮影者の前記年齢が前記第２のユーザ情報に対応する時の前記撮像倍率の変化率より大きいことを特徴とする撮像装置。
【請求項５】
請求項４において、
前記少なくとも２つのユーザ情報は、各々が前記撮影者の属性を表し、且つ前記撮影者の年齢に対応する、少なくとも３つのユーザ情報であり、
前記少なくとも３つのユーザ情報は、前記第２の閾値以上の年齢に属する第３のユーザ情報をさらに有し、
前記第２の検出部によって検出された前記撮影者の前記年齢が前記第２のユーザ情報に対応する時の前記撮像倍率の前記変化率は、前記第２の検出部によって検出された前記撮影者の前記年齢が前記第３のユーザ情報に対応する時の前記撮像倍率の変化率より小さいことを特徴とする撮像装置。
【請求項６】
請求項２乃至５のいずれかにおいて、
前記第２の検出部は、前記撮影者の特徴を抽出し、前記特徴に基づき前記撮影者の年齢、性別及びユーザサイズの前記少なくとも１つを検出することを特徴とする撮像装置。
【請求項７】
請求項１において、
前記撮影者のユーザサイズを検出する第２の検出部と、
前記ユーザサイズに基づき前記撮影者の腕の長さを求め、前記腕の長さに基づきズームレンジ情報を設定する設定部と、
さらに含むことを特徴とする撮像装置。
【請求項８】
請求項７において、
前記第２の検出部は、前記ユーザサイズとして、前記撮影者の顔の大きさを検出し、
前記設定部は、前記顔の大きさから前記撮影者の身長を求め、前記身長から前記腕の長さを求めることを特徴とする撮像装置。
【請求項９】
請求項１乃至８のいずれかにおいて、
前記撮影者を認証する認証部を、
さらに含み、
前記記憶部は、前記認証部によって認証された前記撮影者に対応するユーザ情報を登録済ユーザ情報として記憶し、
前記決定部は、前記登録済ユーザ情報及び前記撮影倍率情報に基づき撮影倍率を決定することを特徴とする撮像装置。
【請求項１０】
請求項１乃至９のいずれかにおいて、
前記撮影倍率情報は、前記撮影者を表す第２の画像情報に基づいて検出される、前記撮影者と前記撮像装置との間の距離であることを特徴とする撮像装置。
【請求項１１】
請求項１０において、
前記第２の画像情報を取得する第２の撮像部を、
さらに含むことを特徴とする撮像装置。
【請求項１２】
請求項１１において、
前記第１の撮像部は、前記撮影者を撮像して第３の画像情報を取得し、
前記少なくとも１つのユーザ情報は、前記第３の画像情報に基づき決定されることを特徴とする撮像装置。
【発明の詳細な説明】
【技術分野】
【０００１】
本発明は、撮像装置等に関する。
【背景技術】
【０００２】
被写体を所望の倍率で撮像する撮像装置の範囲は、電子スチルカメラ、電子ビデオカメラ等を含む。撮像装置がズームレバー、ズーム釦等の操作部を含む場合、撮影者自ら、操作部を操作して撮像倍率を決定することができる。撮像倍率を決定するには、撮影者自らが操作部を操作する必要がある。従って、操作部を確認するのに手間取ったり、間違って逆方向に誤操作したり等、操作部の操作が煩雑であるという問題があった。
【０００３】
このような操作部を使用しない撮像装置として、撮影者の直感的な意思に従う撮像装置は、例えば特許文献１、特許文献２で提案されている。特許文献１では、撮像装置がモーションセンサを含み、撮像装置を光軸方向に移動させることで撮像倍率を決定する。特許文献２では、撮影者の顔画像を解析し、撮影者が撮像装置に近づくか又は撮像装置から離れるかを判断して、撮像倍率を決定する。
【０００４】
なお、画像を解析する一般的な手法としては、例えば特許文献３、特許文献４、特許文献５で提案されている。
【先行技術文献】
【特許文献】
【０００５】
【特許文献１】特開２００６−２１１４５８号公報
【特許文献２】特開２００９−２９４７２８号公報
【特許文献３】特開２００３−９９７７９号公報
【特許文献４】特開２００３−１８７３５２号公報
【特許文献５】特開２００３−２７１９５８号公報
【発明の概要】
【発明が解決しようとする課題】
【０００６】
ズームレバー等の操作部を使用しないで、撮像装置を移動させて撮像倍率を決定することは撮影者（ユーザ）の直感的な操作が可能となる利点がある。しかしながら、撮像装置の移動距離によって撮像倍率を決定するので、例えば子供が撮像装置を手でもって顔から遠ざける時の撮像倍率の変化量（ズーム可能な領域）は、例えば大人が撮像装置を手でもって顔から遠ざける時の撮像倍率の変化量よりも小さいという問題点があった。即ち、例えば特許文献１の例では、撮像倍率の変化率（例えば特許文献１の図１０の追従距離範囲Ｃ部分に対応する直線の傾き）が固定され、撮像倍率の決定方法に個人差が生じてしまう。
【０００７】
本発明の幾つかの態様によれば、撮影者の属性（例えば大人、子供等）に応じて撮像倍率をより適切に決定可能な撮像装置を提供することができる。
【課題を解決するための手段】
【０００８】
本発明の一態様は、被写体を撮像して第１の画像情報を取得する第１の撮像部と、
撮影者の属性を表す少なくとも１つのユーザ情報を記憶する記憶部と、
撮影倍率情報を検出する第１の検出部と、
前記少なくとも１つのユーザ情報及び前記撮影倍率情報に基づき撮影倍率を決定する決定部と、
を含むことを特徴とする撮像装置に関係する。
【０００９】
本発明の一態様によれば、撮影倍率は、ユーザ情報（撮影者の属性）及び撮影倍率情報（例えば、撮影者と撮像装置との距離）の双方に基づき決定される。撮影者が例えば子供であっても、子供（撮影者）の腕の長さを考慮して、撮像倍率を決定することができる。このように、撮影者が誰であっても、同じような感覚で、撮像倍率を決定できる。
【００１０】
また、本発明の一態様では、前記決定部は、前記少なくとも１つのユーザ情報に基づき前記撮像倍率の変化率及び前記撮影倍率情報の少なくとも１つを設定し、前記撮像倍率の前記変化率及び前記撮影倍率情報に基づき前記撮像倍率を決定してもよい。
【００１１】
本発明の一態様によれば、ユーザ情報（撮影者の属性）を考慮して撮像倍率の変化率を設定し、その後に、撮像倍率の変化率と撮影倍率情報（例えば、撮影者と撮像装置との距離）とに基づき撮像倍率を決定することができる。或いは、ユーザ情報（撮影者の属性）を考慮して撮影倍率情報を設定し、その後に、撮像倍率の変化率と撮影倍率情報とに基づき撮像倍率を決定することができる。
【００１２】
また、本発明の一態様では、撮像装置は、前記撮影者の年齢、性別及びユーザサイズの少なくとも１つを検出する第２の検出部を、
さらに含んでもよく、
前記少なくとも１つのユーザ情報は、各々が前記撮影者の属性を表し、且つ前記撮影者の年齢、性別及びユーザサイズの何れかに対応する、少なくとも２つのユーザ情報であってもよく、
前記決定部は、前記第２の検出部の検出結果に基づき前記少なくとも２つのユーザ情報の何れか１つを選択してもよい。
【００１３】
本発明の一態様によれば、第２の検出部は、撮影者の年齢、性別等を検出することができる。例えば、（１）２０代の男性、（２）１０歳以下の女性等の複数のユーザ情報を準備することで、決定部は、複数のユーザ情報の中から１つのユーザ情報を選択することが可能になる。そして、選択された１つのユーザ情報を考慮して、例えば撮像倍率の変化率を決定（設定）することができる。
【００１４】
また、本発明の一態様では、前記撮影者の年齢、性別及びユーザサイズの前記少なくとも１つは、前記撮影者の年齢であってもよく、
前記少なくとも２つのユーザ情報は、第１の閾値未満の年齢に属する第１のユーザ情報と、前記第１の閾値以上第２の閾値未満の年齢に属する第２のユーザ情報と、を有してもよく、
前記第２の検出部によって検出された前記撮影者の前記年齢が前記第１のユーザ情報に対応する時の前記撮像倍率の変化率は、前記第２の検出部によって検出された前記撮影者の前記年齢が前記第２のユーザ情報に対応する時の前記撮像倍率の変化率より大きくてもよい。
【００１５】
本発明の一態様によれば、例えば、撮像倍率の最大値（望遠）を表す撮影者と撮像装置との間の距離と撮像倍率の最小値（広角）を表す撮影者と撮像装置との間の距離との差は、年齢に依存するので、撮影者を少なくとも２つのユーザ情報に分類することができる。例えば子供（撮影者）を第１のユーザ情報に分類し、大人（撮影者）を第２のユーザ情報に分類する。子供（撮影者）の腕の長さは、一般に、大人（撮影者）の腕の長さよりも小さいので、子供用のズームレンジは、大人用のズームレンジよりも小さい方が好ましい。なお、ズームレンジをより小さく設定することは、撮像倍率の変化率をより大きくすることを意味する。このように、ズームレンジ、従って撮像倍率の変化率をより適切に設定することができる。
【００１６】
また、本発明の一態様では、前記少なくとも２つのユーザ情報は、各々が前記撮影者の属性を表し、且つ前記撮影者の年齢に対応する、少なくとも３つのユーザ情報であってもよく、
前記少なくとも３つのユーザ情報は、前記第２の閾値以上の年齢に属する第３のユーザ情報をさらに有してもよく、
前記第２の検出部によって検出された前記撮影者の前記年齢が前記第２のユーザ情報に対応する時の前記撮像倍率の前記変化率は、前記第２の検出部によって検出された前記撮影者の前記年齢が前記第３のユーザ情報に対応する時の前記撮像倍率の変化率より小さくてもよい。
【００１７】
本発明の一態様によれば、撮影者を少なくとも３つのユーザ情報に分類することができる。例えば子供（撮影者）を第１のユーザ情報に分類し、大人（撮影者）を第２のユーザ情報に分類し、老人（撮影者）を第３のユーザ情報に分類する。老人（撮影者）の腕の動きは、一般に、大人（撮影者）の腕の動きよりも鈍いので、大人用のズームレンジは、老人用のズームレンジよりも大きい方が好ましい。なお、ズームレンジをより大きく設定することは、撮像倍率の変化率をより小さくすることを意味する。このように、ズームレンジ、従って撮像倍率の変化率をより適切に設定することができる。
【００１８】
また、本発明の一態様では、前記第２の検出部は、前記撮影者の特徴を抽出し、前記特徴に基づき前記撮影者の年齢、性別及びユーザサイズの前記少なくとも１つを検出してもよい。
【００１９】
本発明の一態様によれば、撮影者の特徴を抽出した後に、ユーザ情報（撮影者の属性）として、撮影者の年齢、性別及びユーザサイズの少なくとも１つを検出することができる。
【００２０】
また、本発明の一態様では、撮像装置は、前記撮影者のユーザサイズを検出する第２の検出部と、
前記ユーザサイズに基づき前記撮影者の腕の長さを求め、前記腕の長さに基づきズームレンジ情報を設定する設定部と、さらに含んでもよい。
【００２１】
本発明の一態様によれば、撮影者のユーザサイズ（例えば、撮影者の顔の大きさ、撮影者の肩幅、撮影者の身長等）を検出した後に、撮影者の腕の長さをユーザ情報（撮影者の属性）として算出し、ズームレンジを算出することができる。ズームレンジ（広義には撮影者の属性）及び撮影倍率情報に基づき、撮像倍率を決定することができる。
【００２２】
なお、ズームレンジ情報は、ズームレンジそのものでもよく、撮影倍率情報を補正する補正係数でもよい。撮影者の腕の長さ（ユーザ情報）に基づき補正係数を算出してもよい。ズームレンジ（この場合は、固定値）及び撮影倍率情報（補正された撮影倍率情報は、広義には撮影者の属性を表す）に基づき、撮像倍率を決定してもよい。
【００２３】
また、本発明の一態様では、前記第２の検出部は、前記ユーザサイズとして、前記撮影者の顔の大きさを検出してもよく、
前記設定部は、前記顔の大きさから前記撮影者の身長を求め、前記身長から前記腕の長さを求めてもよい。
【００２４】
本発明の一態様によれば、撮影者が例えば７頭身である場合、撮影者の顔の大きさから撮影者の身長を求めることができる。
【００２５】
また、本発明の一態様では、撮像装置は、前記撮影者を認証する認証部を、
さらに含んでもよく、
前記記憶部は、前記認証部によって認証された前記撮影者に対応するユーザ情報を登録済ユーザ情報として記憶してもよく、
前記決定部は、前記登録済ユーザ情報及び前記撮影倍率情報に基づき撮影倍率を決定してもよい。
【００２６】
本発明の一態様によれば、登録済ユーザ情報（撮影者の属性）を予め記憶し、認証されて撮影者の属性を読み出し、撮影倍率を決定することができる。
【００２７】
また、本発明の一態様では、前記撮影倍率情報は、前記撮影者を表す第２の画像情報に基づいて検出される、前記撮影者と前記撮像装置との間の距離であってもよい。
【００２８】
本発明の一態様によれば、ユーザ情報（撮影者の属性）を考慮しながら、撮影者と撮像装置との間の距離で、撮影倍率を決定することができる。
【００２９】
また、本発明の一態様では、撮像装置は、前記第２の画像情報を取得する第２の撮像部を、
さらに含んでもよい。
【００３０】
本発明の一態様によれば、第２の撮像部で第２の画像情報を取得するので、第１の撮像部等で第２の画像情報を取得する必要がない。
【００３１】
本発明の一態様によれば、前記第１の撮像部は、前記撮影者を撮像して第３の画像情報を取得してもよく、
前記少なくとも１つのユーザ情報は、前記第３の画像情報に基づき決定されてもよい。
【００３２】
本発明の一態様によれば、第１の撮像部でユーザ情報（撮影者の属性）を検出できる。ユーザ情報の検出精度は、一般には、撮影者と撮像装置との間の距離の検出精度よりも高いので、第２の画像情報の解像度を第３の画像情報の解像度よりも下げることができる。従って、第１の撮像部と比べて安価な第２の撮像部で、撮像装置を構築することができる。
【図面の簡単な説明】
【００３３】
【図１】本実施形態の撮像装置の構成例。
【図２】図１の撮像装置の動作例を説明するフローチャート。
【図３】ズームレンジの説明図。
【図４】ユーザ情報の分類例。
【図５】本実施形態の撮像装置の他の構成例。
【図６】図５の撮像装置の動作例を説明するフローチャート。
【図７】本実施形態の撮像装置の具体的な構成例。
【図８】ユーザ情報の具体例。
【図９】図７の処理部の概略構成例。
【図１０】図７の撮像装置の動作例の一部を説明するフローチャート。
【図１１】図７の撮像装置の動作例の他の一部を説明するフローチャート。
【図１２】図７の撮像装置の動作例の更なる他の一部を説明するフローチャート。
【図１３】全頭高及び内眼角幅の説明図。
【図１４】登録済ユーザ情報の具体例。
【図１５】図９の処理部の変形例。
【図１６】図１１のフローチャートの変形例。
【発明を実施するための形態】
【００３４】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。
【００３５】
１．概要
１．１．基本構成
図１は、本実施形態の撮像装置の構成例を示す。図１に示すように、撮像装置１００は、撮像部（第１の撮像部）１０と、第１の検出部４１と、決定部４８と、記憶部５０とを含む。撮像部１０は、例えば撮像素子を有することができる。図１の例では、第１の検出部４１及び決定部４８は、処理部４０として表され、処理部４０は、ＡＳＩＣ、ＤＳＰ等のＩＣを有することができる。なお、撮像装置１００の構成は、図１によって限定されるものではない。
【００３６】
図１の例では、撮像装置１００は、属性識別情報（例えば、撮影者の年齢、性別及びユーザサイズ等）を利用することができる。撮像装置１００は、属性識別情報を無線又は有線で受け取ってもよく、属性識別情報を検出する検出部（図示しない第２の検出部）を含むことができる。また、撮像装置１００は、図示しない撮像部（第２の撮像部）を含むことができる。撮像装置１００は、典型的には、電子スチルカメラや電子ビデオカメラであって、光学的な画像情報を例えば撮像素子（広義には撮像部１０）で電気信号に変換し、変換後の画像情報を例えば処理部４０内の記憶部（ワーク領域）や記憶部５０等の記憶部に、電子的に記録することができる。なお、撮像装置１００は、デジタルカメラのように携帯可能であってもよい。また、撮像装置１００は、内視鏡や顕微鏡等のように撮像部分と操作部分が分離してもよい。さらに、携帯型情報端末、携帯電話機、携帯型ゲーム機等の電子機器に、撮像装置１００（撮像部１０）が組み込まれてもよく、処理部４０の全部又は一部の機能を電子機器のＭＰＵ、ＣＰＵ等の処理部で実現してもよい。
【００３７】
図１の例では、撮像部１０は、被写体を撮像して画像情報（第１の画像情報）を取得する。なお、撮像部１０の撮像倍率は、決定部４８で決定することができる。撮像倍率は、光学的な倍率だけでもよく、光学的な倍率及び電子的な倍率の双方（組み合わせ）でもよい。光学的な倍率は、撮像部１０のレンズ系を調整することで決定することができ、電子的な倍率は、処理部４０で画像データ内の画素間の補完又は間引きを行うことで電子的に画像データを拡大又は縮小することができる。なお、撮像倍率は、電子的な倍率だけでもよい。
【００３８】
第１の画像情報は被写体を表し、第１の検出部４１は、撮影倍率情報を検出する。撮影倍率情報は、撮像倍率に寄与する情報であり、例えば、撮影者（ユーザ）と撮像装置１００との間の距離である。撮影者と撮像装置１００との間の距離は、例えば撮影者を表す画像情報（第２の画像情報）を利用して、検出することができる。撮像部１０（第１の撮像部）で第２の画像情報を撮像してもよく、図示しない撮像部（第２の撮像部）で第２の画像情報を撮像してもよい。撮像部１０が例えば全方位（３６０°）レンズ系や魚眼レンズ系を採用する場合、撮像部１０は、撮影者の意図する被写体を表す第１の画像情報と撮影者を表す第２の画像情報とを同時に取得することができる。
【００３９】
また、撮影倍率情報は、撮影者を表す画像情報（第２の画像情報）ではなく、図示しないモーションセンサで検出してもよい。撮像装置は、モーションセンサを含んでもよく、モーションセンサは、撮像装置１００と分離してもよい。モーションセンサが撮像装置１００と分離している場合、撮像装置１００は、モーションセンサからのセンサ情報を無線又は有線で受け取ってもよい。
【００４０】
第１の検出部４１は、第２の画像情報に基づき撮影者と撮像装置１００との間の距離（広義には撮影倍率情報）を検出することができる。撮像装置１００が第１の検出部４１を含むことにより、撮影者と撮像装置１００との間の距離に応じて撮像倍率（ズーム倍率）を決定することができる。例えば特許文献２と同様に、撮像装置１００を押し出す又は手前に引くという直感的な動作で、撮像倍率変更（ズーム操作）を実現できる。なお、直感的な動作でズーム操作を実現できれば、第１の検出部４１は、撮影者と撮像装置１００との間の距離以外の情報（撮影倍率情報）を検出してもよい。
【００４１】
記憶部５０は、各々が撮影者の属性を表す複数のユーザ情報を記憶するが、記憶部５０は、１つのユーザ情報だけを記憶してもよい。ユーザ情報には、例えば撮影者の腕の長さが反映され、ユーザ情報に応じて、ズームレンジを設定することができる。ズームレンジは、例えば、撮像倍率の最大値（望遠）を表す撮影者と撮像装置１００との間の距離（最大想定距離）と撮像倍率の最小値（広角）を表す撮影者と撮像装置との間の距離（最小想定距離）との差で表すことができる。また、ズームレンジは、例えば、特許文献１の図１０の追従距離範囲Ｃに対応する。
【００４２】
決定部４８は、ユーザ情報及び撮影倍率情報に基づき撮影倍率を決定する。このように、撮影倍率は、撮影倍率情報（例えば、撮影者と撮像装置１００との距離）及びユーザ情報（撮影者の属性）の双方に基づき決定される。撮影者が例えば子供であっても、子供（撮影者）の腕の長さを考慮して、撮像倍率を決定することができる。従って、撮影者が誰であっても、同じような感覚で、撮像倍率を決定できる。
【００４３】
具体的には、決定部４８は、ユーザ情報（撮影者の属性）を考慮して撮像倍率の変化率を求め、その後に、撮影倍率情報（例えば、撮影者と撮像装置との距離）と撮像倍率の変化率（修正値）とに基づき撮像倍率を決定することができる。但し、決定部４８は、ユーザ情報を考慮して撮影倍率情報を求め、その後に、撮影倍率情報（修正値）と撮像倍率の変化率とに基づき撮像倍率を決定してもよい。
【００４４】
本発明者らは、撮像装置１００を押し出す又は手前に引くという直感的な動作は、撮影者の属性に依存することを認識した。即ち、本発明者らは、例えば子供が撮像装置を手でもって顔から遠ざける時の撮像倍率の変化量（ズーム可能な領域）は、例えば大人が撮像装置を手でもって顔から遠ざける時の撮像倍率の変化量よりも小さいという問題点を認識した。対照的には、例えば特許文献１の例では、撮像倍率の変化率（例えば特許文献１の図１０の追従距離範囲Ｃ部分に対応する直線の傾き）が固定され、撮像倍率の決定方法に個人差が生じてしまう。言い換えれば、特許文献１の例では、撮影倍率を決定する時に、ユーザ情報が考慮されていなかった。
【００４５】
１．２．基本動作
図２は、図１の撮像装置１００の動作例を説明するフローチャートを示す。図２の例では、撮像装置１００は、撮影者を表す画像情報（第２の画像情報）から撮像装置１００の移動量（広義には撮影倍率情報）を検出するとともに、第２の画像情報から撮影者の年齢（広義には属性識別情報）も検出する。上述の通り、撮像装置１００は、第２の画像情報以外の情報（例えばモーションセンサからのセンサ情報）から撮影倍率情報を検出してもよく、属性識別情報そのものを直接に受け取ってもよい。
【００４６】
図２の例では、第１の検出部４１（広義には処理部４０）は、撮影者を表す第２の画像情報の中から検出対象例えば撮影者例えば顔を抽出できたか否か、例えば、基準値以上の大きさの検出対象が検出できたか否かを判定する（ステップＳ１０７）。基準値以上の大きさの検出対象とは、１例として、撮影者が撮像装置１００を手で顔から最も遠ざけた時の顔の大きさ（例えば、内眼角幅、全頭高）に設定することができる。
【００４７】
図２のステップＳ１０７において基準値以上の大きさの検出対象が検出できた場合、ステップＳ１０９及びステップＳ１１１の実施を省略し、決定部４８（広義には処理部４０）は、第２の画像情報（例えば、撮影者と撮像装置１００との間の距離）に基づき撮像倍率を決定してもよい（ステップＳ１１３、ステップＳ１２０）。しかしながら、図２の例では、撮像倍率を決定する際に生じる個人差を低減するために、処理部４０は、例えば第２の画像情報を利用して、属性識別情報（例えば、撮影者の年齢）を考慮することができる（ステップＳ１０９、ステップＳ１１１）。
【００４８】
図２の例では、処理部４０は、第２の画像情報から撮影者の年齢を推定する（ステップＳ１０９）。具体的には、処理部４０は、第２の画像情報を解析して、撮影者の年齢を求める。画像を解析する一般的な手法としては、例えば特許文献３、特許文献４、特許文献５で提案されている。特許文献３の例では、顔の特徴点として、顔の輪郭、鼻、口、眉等を利用し、年齢を推定する。このように、処理部４０は、第２の画像情報の中に含まれる撮影者の顔を解析し、撮影者の顔の特徴を抽出し、顔の特徴に基づき撮影者の年齢（広義には属性識別情報）を検出することができる。
【００４９】
図２の例では、処理部４０は、撮影者の年齢からズームレンジを設定する（ステップＳ１１１）。例えば、撮影者を２つのユーザ情報に分類することができ、例えば、撮影者の年齢が１０才未満である場合、ズームレンジを例えば３００［ｍｍ］に設定し、撮影者の年齢が１０才以上である場合、ズームレンジを例えば４００［ｍｍ］に設定する。撮影者を３つのユーザ情報に分類してもよく、４つ以上のユーザ情報に分類してもよい。
【００５０】
図３は、ズームレンジの説明図を示す。図３に示すように、ズームレンジは、例えば、撮像倍率の最大値（望遠）を表す撮影者と撮像装置１００との間の距離（最大想定距離）と撮像倍率の最小値（広角）を表す撮影者と撮像装置との間の距離（最小想定距離）との差で表すことができる。最大想定距離は、撮影者が撮像装置１００を手で顔から最も遠ざけた時の撮影者と撮像装置１００との間の距離を想定することができ、撮影者の腕の長さに依存する。最小想定距離は、撮影者が撮像装置１００を手で顔から最も近づけた時の撮影者と撮像装置１００との間の距離を想定することができ、０［ｍｍ］に設定することもできるが、実用的な使い方を考えて、例えば２００［ｍｍ］を想定することができる。即ち、撮影者と撮像装置１００との間の距離が例えば２００［ｍｍ］以下である場合、図３に示すように、撮像倍率の最小値として例えば１倍を設定し、撮影者と撮像装置１００との間の距離が例えば６００［ｍｍ］以上である場合、図３に示すように、撮像倍率の最大値として例えば２０倍を設定することができる。この例において、ズームレンジは、６００［ｍｍ］−２００［ｍｍ］＝４００［ｍｍ］である。なお、２００［ｍｍ］は、ズームレンジの遊びと呼ぶこともできる。
【００５１】
ズームレンジを例えば３００［ｍｍ］に設定する場合、撮影者と撮像装置１００との間の距離が例えば２００［ｍｍ］＋３００［ｍｍ］＝５００［ｍｍ］である時に、撮像倍率を最大値を設定することができる。例えば、子供（撮影者）の腕の長さが６００［ｍｍ］であり、手の長さが１００［ｍｍ］である場合、撮影者（子供）が撮像装置１００を手で顔から最も遠ざけた時の撮影者と撮像装置１００との間の距離は、６００［ｍｍ］−１００［ｍｍ］＝５００［ｍｍ］である。ズームレンジを例えば３００［ｍｍ］に設定する場合、撮影影者（子供）が撮像装置１００を手で顔から最も遠ざけた時の撮像倍率は、最大値である。
【００５２】
しかしながら、ズームレンジを例えば４００［ｍｍ］に設定する場合、撮影影者（子供）が撮像装置１００を手で顔から最も遠ざけた時の撮像倍率は、最大値ではない。仮に、撮影者（子供）と撮像装置１００との間の距離が６００［ｍｍ］であれば、撮影影者（子供）が撮像装置１００を手で顔から最も遠ざけた時の撮像倍率は、最大値になる。ズームレンジを例えば４００［ｍｍ］に設定する場合であっても、撮影影者（大人）が撮像装置１００を手で顔から最も遠ざけた時の撮像倍率は、最大値である。
【００５３】
このように、撮影者の年齢に応じてズームレンジを設定することで、撮影者の属性（例えば大人、子供等）に応じて撮像倍率をより適切に決定可能な撮像装置を提供することができる。なお、ズームレンジを４００［ｍｍ］から３００［ｍｍ］に小さくすることは、撮像倍率の変化率（ズームレンジに対応する直線の傾き傾き）をより大きくすることを意味する。
【００５４】
図４は、ユーザ情報の分類例を示す。図４に示すように、撮影者を３つのユーザ情報に分類することができる。図４の例では、３つのユーザ情報は、第１の閾値（例えば１０才）未満の年齢に属する第１のユーザ情報と、第１の閾値以上第２の閾値（例えば６０才）未満の年齢に属する第２のユーザ情報と、第２の閾値以上の年齢に属する第３のユーザ情報と、を有する。撮影者の年齢が第１のユーザ情報に対応する時のズームレンジ３００［ｍｍ］は、撮影者の年齢が第２のユーザ情報に対応する時のズームレンジ４００［ｍｍ］より小さい。また、撮影者の年齢が第２のユーザ情報に対応する時のズームレンジ４００［ｍｍ］は、撮影者の年齢が第３のユーザ情報に対応する時のズームレンジ３００［ｍｍ］より大きい。
【００５５】
図２のステップＳ１１３の例では、決定部４８（広義には処理部４０）は、検出対象の大きさとして、撮影者の顔の大きさ（例えば、撮影者の内眼角幅）が変化したか否かを判定する。決定部４８は、顔の大きさの変化量（撮影者の内眼角幅の変化量）に基づき顔の移動距離（撮影者と撮像装置１００との間の距離）を算出することができる。図２のステップＳ１２０の例では、顔の移動距離とズームレンジとの関係（図３）に基づき、撮像倍率を決定する。
【００５６】
図２の例では、年齢を考慮してズームレンジ（修正値）を求め、その後に、撮影者と撮像装置１００との距離（固定値）とズームレンジ（修正値）とに基づき撮像倍率を決定する。但し、決定部４８は、年齢を考慮して撮影者と撮像装置１００との距離（修正値）を修正し、その後に、撮影者と撮像装置１００との距離（修正値）とズームレンジ（固定値）とに基づき撮像倍率を決定してもよい。具体的には、撮影者が子供である場合、図２の例では、ズームレンジを小さく設定（修正）できるが、ズームレンジを固定値として設定し、撮影者と撮像装置１００との距離を大きめに補正（修正）して、撮像倍率を決定してもよい。
【００５７】
１．３．変形例
図５は、本実施形態の撮像装置の他の構成例を示す。また、上述した構成例と同一の構成については同じ符号を付し、一致点の説明を省略し、以下に相違点について説明する。図５の例では、撮影倍率情報（例えば、撮影者と撮像装置１００との間の距離）は、撮影者を表す画像情報（第２の画像情報）ではなく、モーションセンサ４７で検出してもよい。図５の例では、撮像装置１００は、モーションセンサ４７を含み、第１の検出部４１は、モーションセンサ４７からのセンサ情報に基づき、撮影者と撮像装置１００との間の距離を検出することができる。
【００５８】
また、図５の例では、撮像装置１００は、撮影者を表す画像情報（第２の画像情報）を取得する第２の撮像部４９と、第２の画像情報に基づきユーザサイズ（広義には属性識別情報）を検出する第２の検出部４４とを含むことができる。撮像装置１００は、設定部４６を含み、設定部４６は、ユーザサイズに基づき撮影者の腕の長さを求め、腕の長さに基づきズームレンジ（広義にはズームレンジ情報）を設定することができる。
【００５９】
撮影者のユーザサイズ（例えば、撮影者の顔の大きさ、撮影者の肩幅、撮影者の身長等）を検出した後に、撮影者の腕の長さをユーザ情報（撮影者の属性）として算出し、ズームレンジを算出することができる。腕の長さ及びズームレンジは、記憶部５０に記憶することができる。決定部４８は、ズームレンジ（広義には撮影者の属性）及び撮影倍率情報に基づき、撮像倍率の変化率を決定することができる。
【００６０】
図５の例では、撮像装置１００は、撮影者を必ずしも複数のユーザ情報に分類する必要がない。言い換えれば、図３に示すようなテーブルの代わりに数式を用いて、ユーザ情報（撮影者の属性）からズームレンジ（撮像倍率の変化率）を直接に算出することができる。また、記憶部５０は、設定部４６のワーク領域と呼ぶこともできる。
【００６１】
なお、設定部４６は、ズームレンジそのものではなく、撮影倍率情報を補正する補正係数をズームレンジ情報として、設定してもよい。設定部４６が補正係数（広義にはズームレンジ情報）を設定する場合、決定部４８は、補正係数に基づき撮影倍率情報（撮影者と撮像装置１００との距離）を補正し、補正した距離で、ズームレンジから撮像倍率を決定することができる。即ち、第１の検出部４１で検出された、撮影者と撮像装置１００との距離を補正しても、撮像倍率の変化率を変更したことになる。例えばズームレンジを４００［ｍｍ］から３００［ｍｍ］に変更する場合、ズームレンジを４００［ｍｍ］に設定した状態で、撮影者と撮像装置１００との距離を４００／３００倍（１．３倍程度）大きくしてもよい。
【００６２】
図６は、図５の撮像装置１００の動作例を説明するフローチャートを示す。以下に図２と図６との相違点について説明する。図６の例では、ステップＳ５０９において撮影者の腕の長さ（広義にはユーザ情報）を推定する。具体的には、第２の検出部４４は、ユーザサイズとして、例えば、撮影者の顔の大きさを検出し、撮影者が例えば７頭身である場合、設定部４６は、顔の大きさを７倍して、撮影者の身長を求める。撮影者の身長の例えば０．４２５倍が腕の長さである場合、設定部４６は、撮影者の身長を０．４２５倍して、腕の長さを求める。腕の長さが例えば７００［ｍｍ］である場合、ズームレンジを例えば７００［ｍｍ］−３００［ｍｍ］＝４００［ｍｍ］に設定することができる。
【００６３】
また、図６の例では、ステップＳ５１２において撮像装置１００の動きを検出する。具体的には、第１の検出部４１は、モーションセンサ４７からのセンサ情報に基づき、撮影者と撮像装置１００との間の距離を検出する。モーションセンサ４７は、例えば加速度センサ及びジャイロセンサで構成することができ、加速度や角速度等のデータを出力することができる。第１の検出部４１は、これらのデータを受け取り、撮像装置１００の向き、移動方向、移動量を算出し、撮影者と撮像装置１００との間の距離を検出（換算）することができる。
【００６４】
モーションセンサ４７は、加速度センサ及びジャイロセンサの組み合わせだけでなく、加速度センサ、ジャイロセンサ、地磁気センサ、圧力センサ（例えば気圧センサ、水圧センサ等）、アクティブセンサ（例えば、赤外線測距センサ、超音波測距センサ等）及び位置検出センサ（例えば、ＧＰＳや携帯電話網やＲＦＩＤ等の無線ネットワークセンサ）の少なくとも１つでもよい。なお、モーションセンサ４７は、撮影者の手首等に取り付けてもよい。言い換えれば、モーションセンサ４７は、撮像装置１００と分離してもよい。
【００６５】
２．具体例
２．１．構成
図７は、本実施形態の撮像装置の具体的な構成例を示し、図１の撮像装置１００の具体例又は変形例と呼ぶこともできる。なお、撮像装置１００の構成は、図７によって限定されるものではなく、図７の撮像装置１００の一部の構成要素を省略したり、他の構成要素を追加するなどの種々の変形実施が可能である。図７の例では、撮像装置１００は、撮像部１０として、光学素子１１及び撮像素子１３（例えばＣＣＤ或いはＣＭＯＳイメージセンサ等）を含む。撮像装置１００は、撮像素子１３からの画像情報（第１の画像情報）を処理する画像処理部３０を含むことができる。光学素子１１は、撮像素子１３の撮像面上に被写体像を形成する。図７の例では、撮像素子１３は、ＣＤＳ（Correlated Double Sampling）、Ａ／Ｄ変換等の処理ブロックを有してデジタル形式の画像信号（広義には画像情報）を出力することができる。
【００６６】
光学素子１１は、例えば３つのレンズ１１ａ、１１ｂ、１１ｄと、絞り機構１１ｃと、を含む。図７の例では、レンズ１１ｂは、焦点距離を変更可能なズームレンズであり、レンズ１１ｄは、フォーカスレンズである。光学素子１１は、図示しないレンズ鏡筒に収納することができる。
【００６７】
図７の例では、撮像装置１００は、制御部２０として、レンズ１１ｂ（ズームレンズ）の駆動を制御する光学ズーム制御部１７を含むこができる。また、撮像装置１０（狭義には制御部２０）は、絞り機構１１ｃの駆動を制御するＡＥ（Automatic Exposure）制御部１９を含むこができる。さらに、撮像装置１００は、レンズ１１ｄ（フォーカスレンズ）の駆動を制御するＡＦ（Automatic Focus）制御部２１を含むことができる。なお、ＡＥ制御部１９は、撮影者自らの操作によって絞り機構１１ｃの駆動を手動で制御する制御部であってもよい。また、ＡＦ制御部２１は、撮影者自らの操作によってレンズ１１ｄの駆動を手動で制御する制御部であってもよい。加えて、撮像装置１００は、撮像素子１３を駆動する撮像素子駆動部２３を含むことができる。
【００６８】
光学ズーム制御部１７は、レンズ１１ｂを光軸方向に搬送するための電気機械的機構を含むことができる。ＡＥ制御部１９は、絞り機構１１ｃを光軸方向と垂直な方向に移動させるための電気機械的機構を含むことができる。ＡＦ制御部２１は、レンズ１１ｄを光軸方向と垂直な方向に移動させるための電気機械的機構を含むことができる。光学ズーム制御部１７、ＡＥ制御部１９及びＡＦ制御部２１は、それぞれ、例えば処理部４０からの指令に応じてレンズ１１ｂ、レンズ１１ｄ及び絞り機構１１ｃの位置を制御することができる。
【００６９】
図７の例では、撮像装置１００は、ユーザが種々の操作を行うための操作部２５を含むことができる。また、撮像装置１００は、画像処理部３０のために一時的に画像データ（画像情報）を格納するバッファメモリ５７（ワーク領域）を含むことができる。さらに、撮像装置１００は、撮像素子１３を介して取得している画像情報を連続的に表すスルー画像情報（動画）や、撮像素子１３を介して取得した１つの画像情報を表す撮像画像情報（静止画）を表示部２９に表示するための表示制御部３９を含むことできる。
【００７０】
表示部２９は、例えば液晶ディスプレイや、有機ＥＬなどの発光素子を用いたディスプレイや、電気泳動型ディスプレイなどにより実現できる。なお、表示部２９をタッチパネルディスプレイ（タッチスクリーン）により構成し、操作部２５の全部又は一部の機能を有してもよい。
【００７１】
図７の例では、撮像装置１００は、操作部２５として、シャッター釦２５ａ、ズームレバー２５ｂ及びモード選択部２５ｃを含むことができる。モード選択部２５ｃは、例えば、ズームレバー２５ｂの操作量だけによって撮像倍率を決定する第１のモードを設定することができる。また、モード選択部２５ｃは、例えば、撮像装置１００の移動量だけによって撮像倍率を決定する第２のモードを設定することができる。さらに、モード選択部２５ｃは、例えば、ズームレバー２５ｂの操作量及び撮像装置１００の移動量の双方を考慮して、撮像倍率を決定する第３のモードを設定することができる。操作部２５は、各種の操作を可能にする図示しない機能を実現するスイッチ、釦、レバー等を有してもよい。
【００７２】
図７の例では、撮像装置１００は、画像処理部３０として、前処理部３１、解像度調整部３３、画素数変換部３５及び画像圧縮部３７を含むことができる。また、撮像装置１００は、メモリインタフェース４３及び処理部４０を含むことができる。画像処理部３０や処理部４０は、ＡＳＩＣ、ＤＳＰ等のＩＣで構成することができる。処理部４０の具体的な構成は、例えば図１等で示され、図１等で示されない機能（例えば、制御部２０への指示等）を実現することができる。
【００７３】
前処理部３１は、撮像素子１３からのデジタル形式の画像信号（画像データ、画像情報）を受け、ホワイトバランス補正、ガンマ補正、キズ補正等の前処理を行うことができる。解像度調整部３３は、前処理された後の画像情報内のＲＧＢ信号をＹＣ信号に変換する処理を行いことができ、また、アパーチャ補正等の解像度を調整するための処理を行うことができる。画素数変換部３５は、画像信号の画素数を変換するための信号処理を行うことができる。画素数変換部３５は、画素間の補完又は間引きを行うことで電子的に画像情報を拡大又は縮小することができ、これにより電子的な撮像倍率の変更（電子ズーム機能）を実現することができる。
【００７４】
画像圧縮部３７は、例えばＪＰＥＧ方式に従って画像情報を圧縮することができる。画像情報は、ＪＰＥＧ方式に限られず、ＴＩＦＦ等の他の方式に従って圧縮されてもよい。画像圧縮部３７により圧縮された画像情報は、記録媒体５５に格納することができる。表示制御部３９は表示部２９上での画像表示を制御する。記録媒体５５の範囲は、メモリやＨＤＤ（ハードディスクドライブ）等を含む。メモリは、例えば、フラッシュメモリ等の不揮発性メモリであり、ＲＡＭや書き換え可能なＲＯＭ等で構成することができる。また、記録媒体５５は、例えば、ＳＤカード（登録商標）、コンパクトフラッシュ（登録商標）等のように、撮像装置１００に着脱自在な携帯型の記録媒体であってもよい。
【００７５】
なお、画像処理部３０は、記録媒体５５をワーク領域として使用してもよく、処理部４０等のワーク領域として、バッファメモリ５７、記録媒体５５、データメモリ５３等の記憶部５０を使用してもよい。記録媒体５５は、コンピュータ（狭義には画像処理部３０や処理部４０）により読み取り可能な媒体であり、記録媒体５５等の記憶部５０は、プログラムやデータ等を格納することができ、書き換え可能な光ディスク（ＣＤ、ＤＶＤ）であってもよい。画像処理部３０や処理部４０（広義には撮像装置１００）は、記録媒体５５等の記憶部５０に格納されるプログラム（データ）に基づいて種々の処理を行ってもよい。即ち記録媒体５５には、コンピュータ（例えば、画像処理部３０、処理部４０及び記憶部５０を含む装置）を機能させるためのプログラム（各部の処理をコンピュータに実行させるためのプログラム）が記憶されてもよい。
【００７６】
図７の例では、前処理部３１、解像度調整部３３、画素数変換部３５、画像圧縮部３７及び表示制御部３９は、メモリインタフェース４３を介してバッファメモリ５７にアクセスし、各処理前のデータの読み出し、各処理後のデータの書き込みを適宜行うことができる。処理部４０は、前処理部３１、解像度調整部３３、画素数変換部３５、画像圧縮部３７及び表示制御部３９を制御し、画像信号処理等の指示を行うことができる。さらに、処理部４０は、光学ズーム制御部１７、ＡＥ制御部１９及びＡＦ制御部２１の制御を統括して光学系の動作を制御することができる。処理部４０は、撮像素子駆動部２３の制御を管理して、撮像素子１３の出力信号（画像情報）を全画素読出し又は間引き読出し等の制御を実行することができる。
【００７７】
図７の例では、撮像装置１００は、第２の撮像部４９を含むことができる。第２の撮像部４９は、撮影者（例えば顔）を表す画像情報（第２の画像情報）を取得することができる。処理部４０（例えば、図１の第１の検出部４１）は、撮影者を表す第２の画像情報を用いて例えば顔検出を行い、顔の大きさから、撮影者と撮像装置１００との間の距離を検出（換算）することができる。
【００７８】
なお、第２の撮像部４９の詳細な構成の説明は、省略するが、撮像部１０及び画像処理部３０の全部又は一部の構成と同じ又は類似する構成を備えることができる。また、撮像装置１００又は第２の撮像部４９は、制御部２０の全部又は一部の構成と同じ又は類似する構成を備えることができる。
【００７９】
撮像装置１００を前後方向に移動すると撮影者と撮像装置１００との間の距離が変化し、処理部４０（例えば、図１の決定部４８）は、撮影者の属性を表すユーザ情報を考慮しながら、撮影者と撮像装置１００との間の距離に基づき撮像倍率を決定する。光学ズーム制御部１７及び画素数変換部３５の少なくとも一方を用いて、撮像倍率変更（ズーム操作）を実現することできる。
【００８０】
図７の例では、撮像装置１００は、データメモリ５３（広義には記憶部５０）を含むことができる。データメモリ５３は、図３のテーブルをさらに具体化し、例えば、撮影者の年齢及び性別（広義には属性識別情報）に対応する複数のユーザ情報を記憶することができる。
【００８１】
図８は、ユーザ情報の具体例を示す。図８に示すように、撮影者を例えば１０個のユーザ情報に分類することができる。図８の例では、１０個のユーザ情報は、第１のユーザ情報〜第１０のユーザ情報で構成される。第１のユーザ情報は、５〜１０才の男性であり、第２のユーザ情報は、５〜１０才の女性である。第３のユーザ情報は、１１〜１５才の男性であり、第４のユーザ情報は、１１〜１５才の女性である。第５のユーザ情報は、１６〜４０才の男性であり、第６のユーザ情報は、１６〜４０才の女性である。第７のユーザ情報は、４１〜６０才の男性であり、第８のユーザ情報は、４１〜６０才の女性である。第９のユーザ情報は、６１〜８０才の男性であり、第１０のユーザ情報は、６１〜８０才の女性である。このように、各ユーザ情報は、撮影者の年齢及び性別の何れかに対応する。
【００８２】
図８に示すようなテーブル内のズームレンジは、撮像装置１００を製造するメーカーで予め設定することができる。但し、撮影者（ユーザ）は、予め設定されるズームレンジを例えば操作部２５を介して修正してもよい。或いは、撮影者は、ズームレンジそれ自身の数値を例えば操作部２５を介して直接に入力してもよい。ズームレンジを修正又は入力する際に、撮影者の視力や遠視・近視等を考慮することができる。例えば、撮像装置１００が撮影者の顔から離れすぎる場合、視力が低い撮影者は、表示部２９等で被写体を表す画像情報（第１の画像情報）を確認することが困難である。従って、ズームレンジの小さく設定することで、手元の動作でより適切なズーム操作を実現することができる。
【００８３】
また、図７のデータメモリ５３（広義には記憶部５０）は、撮影者の年齢及び性別を推定するための基礎データ（例えば、１０個のユーザ情報の各々に対応する、顔の輪郭、鼻、口、眉等の顔の特徴点）を記憶することができる。データメモリ５３は、撮影者がどのユーザ情報に属するのかを判定するための１０通りの顔のパターンを記憶しているとも言える。
【００８４】
図９は、図７の処理部４０の概略構成例を示す。図７に示す処理部４０は、様々な処理を行うことができ、図９は、代表的な処理を実現する概略構成例を示す。また、上述した構成例と同一の構成については同じ符号を付し、一致点の説明を省略し、以下に相違点について説明する。図９の例では、処理部４０（広義には撮像装置１００）は、操作部２５（例えば、図７のズームレバー２５ｂ）からの操作量（広義には撮影倍率情報）を検出する第３の検出部５１を含む。決定部４８は、第３の検出部５１を第１の検出部４１よりも優先させ、撮影者と撮像装置１００との距離とは無関係に、操作部２５の操作量（ズームレバー２５ｂ）に基づき撮像倍率を決定することができる。決定部４８は、第１のモードが設定されていることを示す操作情報を操作部２５（例えば、図７のモード選択部２５ｃ）から受け取ることができる。第１のモードは、上述の通り、例えばズームレバー２５ｂの操作量だけによって撮像倍率を決定することを意味する。
【００８５】
また、図９の例では、第２の検出部４４は、第１の検出部４１と一緒に、撮影者を表す画像情報（第２の画像情報）を受け取った後、第２の検出部４４は、第２の画像情報に基づき撮影者の年齢及び性別を検出する。具体的には、第２の検出部４４は、第２の画像情報から抽出した顔の特徴をパターン認識する。パターン認識の結果、データメモリ５３に記憶される基礎データ（パターン情報）に基づき、例えば４１〜６０才の男性を検出する。なお、第２の検出部４４で検出される年齢は、例えば図８に示されるような幅（例えば４１〜６０才の範囲）を有することができる。年齢が例えば４１〜６０才であり、性別が例えば男性である場合、設定部４６は、図８に示すテーブルを参照し、ズームレンジを例えば４００［ｍｍ］に設定することができる。決定部４８は、第１のモードが設定されていることを示す操作情報を受け取らない場合、撮影者の属性に応じて設定されたズームレンジ（例えば４００［ｍｍ］）を考慮しながら、撮影者と撮像装置１００との距離に基づき撮像倍率を決定することができる。
【００８６】
なお、図９の構成例は、以下のように変更してもよい。決定部４８（広義には処理部４０）は、第３の検出部５１によって操作部２５の操作量が検出さているか否かを判定してもよい。具体的には、第３の検出部５１によって操作部２５（ズームレバー２５ｂ）の操作量が検出される場合、決定部４８は、操作部２５の操作量に基づき撮像倍率を決定してもよい。また、第３の検出部５１によって操作部２５（ズームレバー２５ｂ）の操作量が検出されない場合、決定部４８は、撮影者の属性に応じて設定されたズームレンジ（例えば４００［ｍｍ］）を考慮しながら、撮影者と撮像装置１００との距離に基づき撮像倍率を決定してもよい。
【００８７】
２．２．動作
図１０、図１１、図１２は、図７の撮像装置の動作例を説明するフローチャートを示す。各図は、フローチャートの一部を表している。以下に、撮像倍率の変更（ズーム操作）について説明する。
【００８８】
例えば撮像装置１００の電源が立ち上がる時に、撮像装置１００（例えば、処理部４０）は、撮像倍率の初期値を設定する（ステップＳ１０１）。初期値は、例えば撮像部１０の最大広角値に設定できる。なお、初期値は、撮影者が事前に設定した値に設定してもよい。初期値は、例えば記憶部５０に保存することができる。
【００８９】
図１０のステップＳ１０３の例では、処理部４０（例えば、図９の決定部４８）は、第１のモードが設定されているか否か、即ちズームレバー２５ｂの操作量で撮像倍率を決定するのか否かを認識する。なお、図１０のステップＳ１０３を変形して、処理部４０は、第２のモードが設定されているか否か、即ち撮像装置１００の光軸方向における動きで撮像倍率を決定するのか否かを認識してもよい。第１のモードが設定されている、又は第２のモードが設定されていない場合、撮像装置１００は、ズームレバー２５ｂでズーム操作を行う通常撮影モードを実行する（ステップＳ２０３〜ステップＳ３０３）。
【００９０】
図１０のステップＳ２０３の例では、処理部４０（例えば、図９の第３の検出部５１）は、撮影者がズームレバー２５ｂを操作しているか否か検出する。ズームレバー２５ｂからの操作信号が第１の基準を満たせば、撮像倍率を上げるように、画角は、例えば望遠（Ｔｅｌｅ）側に調整することができる。また、ズームレバー２５ｂからの操作信号が第２の基準を満たせば、撮像倍率を下げるように、画角は、例えば広角（Ｗｉｄｅ）側に調整することができる。
【００９１】
撮影者がズームレバー２５ｂを操作している場合、処理部４０（例えば、図９の第３の検出部５１）は、ズームレバー２５ｂからの操作量を検出し、処理部４０（例えば、図９の決定部４８）は、検出した操作量（撮影倍率情報）に基づき撮像倍率を決定（算出）する（ステップＳ３０１）。例えば、ズームレバー２５ｂが望遠（Ｔｅｌｅ）側に設定され続けられている間、処理部４０は、撮像倍率を上げ続けるように制御部２０及び画像処理部３０の少なくとも１つを制御する（ステップＳ３０１〜ステップＳ３０３）。
【００９２】
図１０のステップＳ３０１の例では、撮像倍率の決定方法として、撮像倍率の変化量を算出する。撮像倍率の変化量は、撮像倍率を相対的に決定することができ、設定されている倍率（例えば、初期値として設定される最大広角値）を基準として、撮像倍率を決定（変更）することができる。なお、撮像倍率の決定方法として、撮像倍率の目標値を算出してもよい。撮像倍率の目標値は、撮像倍率を絶対的に決定してもよく、ズームレバー２５ｂからの操作位置に応じて、撮像倍率を決定（変更）してもよい。
【００９３】
図１０のステップＳ３０３の例では、処理部４０（例えば、図９の決定部４８）は、算出した撮像倍率の変化量（広義には、決定した撮像倍率）に従って、ズーム処理を実行する。具体的には、決定部４８は、光学的な倍率及び電子的な倍率の少なくとも一方で撮像倍率を決定する。決定部４８は、光学的な倍率の変更を例えば図９の制御部２０（狭義には、図７の光学ズーム制御部１７）に指示することができる。また、電子的な倍率の変更を例えば図９の画像処理部３０（狭義には、図７の画素数変換部３５）に指示することができる。
【００９４】
図１０のステップＳ３０５の例では、ステップＳ１０３と同様に、処理部４０（例えば、図９の決定部４８）は、第１のモードが設定されているか否か、即ちズームレバー２５ｂの操作量で撮像倍率を決定するのか否かを認識する。
【００９５】
ステップＳ１０３又はステップＳ３０５を実施した後、第１のモードが設定されていない、又は第２のモードが設定されている場合、撮像装置１００は、第２の撮像部４９で撮影者の撮像を開始する（ステップＳ１０５）。撮影者を撮像して第２の画像情報を取得することで、撮像装置１００は、撮影者の属性を把握するとともに（図１１のステップＳ１０９〜ステップＳ１１１）、撮像装置１００の動きでズーム操作を行う直感撮影モードを実行することができる（図１１のステップＳ１０７、図１２のステップＳ１１３〜ステップＳ１１９）。
【００９６】
図１１のステップＳ１０７の例では、処理部４０（例えば、図９の決定部４８）は、第１の検出部４１で基準以上の大きさの顔が検出できたか否かを評価する。
【００９７】
撮影者が撮像装置１００を手にもった状態で、像装置１００を前後方向（光軸方向）に移動させて撮影倍率を決定する場合、撮影者と撮像装置１００との間の距離は、撮影者の腕の長さ以上にならない。従って、第１の検出部４１は、撮像装置１００を撮影者の顔から最も遠ざける時の顔の大きさの最小値を基準値として、採用することができる。また、顔の大きさは、例えば内眼角幅を基準に決定することができる。
【００９８】
図１３は、内眼角幅を説明するための図を示す。図１３に示されるように、内眼角幅は、左右の内眼角点間の直線距離であり、顔（広義には撮影者）の大きさを表す指標として用いることができる。顔の大きさには個人差があるが、内眼角幅は３４［ｍｍ］〜３７［ｍｍ］程度で、性別差及び年齢差が少ない。本明細書では、内眼角幅（平均値）を例えば３４［ｍｍに設定することができる。撮像装置１００を例えば日本で使用する場合、日本人の内眼角幅の平均値に基づき、ステップＳ１０７の基準値を設定することができる。なお、基準値は、第２の撮像部４９で取得した撮影者を表す画像情報（第２の画像情報）から抽出された特徴点間の距離に基づき、設定することができ、特徴点は、左右の内眼角点に限定されるものではない。特徴点として、左右の耳を用いてもよく、顔（広義には撮影者）の大きさを表すものであればよい。また、ステップＳ１０７の基準値は、長さ（一次元）ではなく、面積（二次元）であってもよい。
【００９９】
具体的には、腕の長さ１０００［ｍｍ］、第２の撮像部４９のレンズの焦点距離を３［ｍｍ］、撮像部４９の撮像素子の解像度を８００［ｐｉｘ］×６００［ｐｉｘ］、撮像素子のサイズを［８ｍｍ］×６［ｍｍ］（画素ピッチ０．０１［ｍｍ／ｐｉｘ］）とすると、腕を伸ばした時の撮像素子に投影される内眼角幅（平均値）ｘ［ｐｉｘ］は、以下のように求めることができる。
ｘ［ｐｉｘ］＝（３４［ｍｍ］（内眼角幅）×３［ｍｍ］／１０００［ｍｍ］）／０．０１［ｍｍ／ｐｉｘ］＝１０．２［ｐｉｘ］
【０１００】
従って、図９の第１の検出部４１が、例えば１０［ｐｉｘ］以上の内眼角幅［ｐｉｘ］（第２の画像情報から抽出した撮影者の内眼角幅）をパターン認識等の画像処理を介して検出する場合（図１１のステップＳ１０７）、図１２のステップＳ１１３〜ステップＳ１１９を実施することができる。パターン認識等の画像処理では、眼を認識し、眼の中の黒い部分と白い部分とのコントラスト比から、白い部分がなくなる内側を内眼角点として求めることができる。図１１のステップＳ１０７での基準値は、内眼角幅の平均値ではなく、内眼角幅の最小値（例えば２４［ｍｍ］程度）を採用してもよい。
【０１０１】
内眼角幅の平均値は、例えば、日本人頭部寸法データベース２００１（http://riodb.ibase.aist.go.jp/dhbodydb/head/main.html）で公開されている。このデータベースによれば、青年層（１８〜３４才）の５６人の男性の内眼角幅の平均値は、３６．６［ｍｍ］である。青年層（１８〜３４才）の６１人の女性の内眼角幅の平均値も、３６．６［ｍｍ］である。高齢層（６０〜８４才）の１００人の男性の内眼角幅の平均値も、３６．６［ｍｍ］である。高齢層（６０〜８４才）の１００人の女性の内眼角幅の平均値は、３４．７［ｍｍ］である。
【０１０２】
図１１のステップＳ１０９の例では、図１０のステップＳ１０５において取得した第２の画像情報を解析し、撮影者の年齢及び性別を推定する。図１１のステップＳ１０９の例では、推定した撮影者の年齢及び性別から例えば図８のテーブルを参照して、ズームレンジを設定する。図８のテーブルは、統計処理で得られたら腕の長さを考慮して設定される。撮影者の属性（ユーザ情報）を考慮しながらズームレンジを設定することで、撮像装置１００の動きを撮像倍率により適切に変換することができる。
【０１０３】
図１２のステップＳ１１３の例では、処理部４０（例えば、図９の決定部４８）は、撮影者の顔の大きさ（例えば、撮影者の内眼角幅）が変化したか否かを判定する。撮影者の顔の大きさが変化しない場合、再び、ステップＳ１１３を実行する。
【０１０４】
図１２のステップＳ１１５の例では、処理部４０（例えば、図９の決定部４８）は、顔の大きさの変化量（撮影者の内眼角幅の変化量）に基づき顔の移動距離（撮影者と撮像装置１００との間の距離）を算出することができる。次に、ステップＳ１１７では、設定されたズームレンジを考慮して、顔の移動距離から撮像倍率の変化量を算出し、ステップＳ１１９では、ステップＳ３０３と同様にズーム処理を行う。なお、ステップＳ１１３及びステップＳ１１５を実行しないで、顔の大きさから撮影者と撮像装置１００との間の距離を算出し、撮像倍率を絶対的に決定してもよい。
【０１０５】
図１２のステップＳ１３０で撮像装置１００の電源がＯＦＦされたり、操作部２５でズーム操作機能がＯＦＦされると、ズーム操作を終了することができる。ズーム操作を終了しない場合、図１０のステップＳ１０３に戻る。図１０のステップＳ１０３において第１のモードが設定されていない、又は第２のモードが設定されている場合、図１１のステップＳ１０９及びステップＳ１１１を実施しないで図１２のステップＳ１１３を実施してもよい。即ち、ズームレンジは、一度だけ設定（選択）してもよい。
【０１０６】
２．３．第１の変形例（個人認証）
図１１のステップＳ１０９の例では、撮影者を表す画像情報（第２の画像情報）を利用して、撮影者の年齢及び性別（広義には属性識別情報）を推定している。ステップＳ１０９を変形して、撮影者が誰であるのか認証し、認証された撮影者の属性を考慮して、ズームレンジ（広義には撮像倍率の変化率、より広義には撮像倍率）を決定することができる。以下に、個人認証機能を利用する変化例について説明する。
【０１０７】
図１４は、登録済ユーザ情報の具体例を示す。図１４に示すように、個人毎にユーザ情報が予め登録されている。図１４の例では、ユーザ情報は、登録済ユーザ情報として、１０分のユーザ情報を有する。図１４のテーブル（登録済ユーザ情報）は、図７のデータメモリ５３（広義には図９の記憶部５０）に記憶されている。また、データメモリ５３は、１０人分（Ａさん〜Ｊさん）の基礎データ（１０通りの顔のパターン）も記憶することができる。ステップＳ１０９を変形して、撮影者が例えばＡさんである場合、図１１のステップＳ１１１では、ズームレンジとして例えば３２０［ｍｍ］を設定することができる。
【０１０８】
図１５は、図９の処理部４０の変形例を示す。図１５に示すように、処理部４０（広義には撮像装置１００）は、第２の検出部４４の代わりに、認証部４４を含むことができる。認証部４４が撮影者を認証する際、記憶部５０は、認証部４４によって予め認証された撮影者に対応する登録済ユーザ情報（ユーザ情報）を記憶している。決定部４８は、登録済ユーザ情報及び撮影倍率情報に基づき撮影倍率を決定することができる。
【０１０９】
なお、登録済ユーザ情報として、１人分のユーザ情報だけをデータメモリ５３に記憶してもよい。また、図８のテーブル及び図１４のテーブルの双方をデータメモリ５３に記憶してもよく、処理部４０は、第２の検出部４４及び認証部４４の双方を含んでもよい。さらに、図１４に示すようなテーブル中のズームレンジは、図８に示すようなテーブルを用いて図１１のステップＳ１０９及びステップＳ１１１を予め実行して、設定してもよい。或いは、図１４に示すようなテーブル中のズームレンジは、撮影者（ユーザ）の例えば身長や腕の長さを例えば操作部２５を介して入力して、算出（設定）してもよい。
【０１１０】
２．４．第２の変形例（ユーザサイズの検出）
図１１のステップＳ１０９の例では、撮影者を表す画像情報（第２の画像情報）を利用して、撮影者の年齢及び性別（広義には属性識別情報）を推定している。ステップＳ１０９を変形して、属性識別情報として、撮影者のユーザサイズ（例えば、撮影者の顔の大きさ、撮影者の肩幅、撮影者の身長等）を検出することができる。以下に、ユーザサイズを利用する変化例について説明する。
【０１１１】
図１６は、図１１のフローチャートの変形例を示す。図７の第２の撮像部４９が例えば魚眼レンズ系を採用する場合、第２の画像情報は、超広角画像と呼ぶこともでき、撮影者全体を表すことができる。第２の画像情報は超広角レンズ等の影響により、歪みを有する場合がある。そこで、図１６のステップＳ５０５の例では、処理部４０（広義には撮像装置１００）は、第２の画像情報の歪みを修正する。但し、ステップＳ５０５を省略して、歪みがある場合に、その歪みを考慮しながら、ステップＳ５０９を実施してもよい。また、ステップＳ１０７を実施する前に、ステップＳ５０５を実施してもよい。
【０１１２】
図１６のステップＳ５０９の例では、第２の検出部４４は、撮影者のユーザサイズ、例えば撮影者の顔の大きさを検出し、設定部４６は、撮影者の顔の大きさに基づき撮影者の腕の長さを求め、腕の長さに基づきズームレンジを設定する。具体的には、顔の大きさから撮影者の身長を求め、身長から腕の長さを求めるが、顔の大きさから関係式又はテーブルを用いて腕の長さ又はズームレンジを求めてもよい。
【０１１３】
図１３は、全頭高内を説明するための図を示す。図１３に示されるように、全頭高は、頭頂から顎までの直線距離であり、顔（広義には撮影者）の大きさを表す指標として用いることができる。全頭高の平均値は、例えば２３０［ｍｍ］程度に設定することができる。全頭高２３０［ｍｍ］（顔の大きさ）は、すべての撮影者に共通する固定値であることを想定し、身長：腕の長さ＝１：０．４２５も、すべての撮影者に共通する固定値であることを想定する。この場合、第２の画像情報から撮影者が何頭身であるのかを検出することで、腕の長さを算出することができる。
【０１１４】
具体的には、第２の画像情報を解析し、第２の画像情報に含まれる特徴点から撮影者の全頭高及び身長を認識する。第２の画像情報を解析した結果、撮影者が例えば７．１５頭身である場合、撮影者の身長は、全頭高２３０［ｍｍ］×７．１５＝１６４５［ｍｍ］であることを推定（算出）できる。次に、撮影者の腕の長さは、身長１６４５［ｍｍ］×０．４２５＝６９９．１２５［ｍｍ］であることを推定（算出）できる。腕の長さが例えば７００［ｍｍ］程度である場合、ズームレンジを例えば７００［ｍｍ］−３００［ｍｍ］＝４００［ｍｍ］に設定することができる。
【０１１５】
なお、図１６のステップＳ５０９では、図１１のステップＳ１０９を組み込んでもよい。即ち、図１６のステップＳ５０９を変形して、設定部４６は、例えば撮影者の年齢を推定してもよい。例えば、撮影者の顔の特徴点を解析して、撮影者が大人であるか子供であるかを基準値（例えば１６才）を用いて判断してもよい。或いは、撮影者の全頭高及び身長を認識し、例えば６頭身以下であれば、撮影者が子供であると判断してもよい。撮影者が例えば子供である場合、顔の大きさとして、全頭高を例えば２３０［ｍｍ］から２００［ｍｍ］に変更してもよい。
【０１１６】
全頭高の平均値は、例えば、日本人頭部寸法データベース２００１によれば、青年層（１８〜３４才）の５６人の男性の全頭高の平均値は、２３１．９［ｍｍ］である。青年層（１８〜３４才）の６１人の女性の全頭高の平均値は、２１８．０［ｍｍ］である。高齢層（６０〜８４才）の１００人の男性の全頭高の平均値は、２３０．８［ｍｍ］である。高齢層（６０〜８４才）の１００人の女性の全頭高の平均値は、２１７．２［ｍｍ］である。
【０１１７】
２．５．第３の変形例（低コスト化）
図１１のステップＳ１０９の例や図１６のステップＳ５０９の例では、撮影者を表す画像情報（第２の画像情報）を利用して、撮影者の年齢、性別及びユーザサイズの少なくとも１つを検出している。従って、第２の撮像装置４９は、年齢等の属性識別情報を検出できる解像度を有する必要がある。他方、図１２のステップＳ１１３の例でも、第２の画像情報を利用する。図１２のステップＳ１１３では、顔の細かい特徴点を抽出する必要がないので、図１２のステップＳ１１３で必要とされる検出精度は、一般には、ステップＳ１０９等で必要とされる検出精度は、撮影者と撮像装置との間の距離の検出精度よりも低い。
【０１１８】
そこで、第２の撮像装置４９で得られる第２の画像情報の解像度を図１２のステップＳ１１３で必要とされる程度にまで下げ、第１の撮像部１０は、撮影者を撮像して第３の画像情報を取得する。第１の撮像部１０は、被写体を撮像するので、図１１のステップＳ１０９等で必要とされる条件を満たしている。図１０のステップＳ１０５及び図１１のステップＳ１０９等を以下のように変形することができる。
【０１１９】
第１の撮像部１０で撮影者を表す第３の画像情報を取得し、図１１のステップＳ１０７を実施する前に、第３の画像情報を利用して、撮影者の年齢等に基づく腕の長さ（広義にはユーザ情報）を検出し、ズームレンズを設定する。その後、第２の撮像部４９で撮影者を表す第２の画像情報を取得し、図１１のステップＳ１１３等を実施する。
【０１２０】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また撮像の構成、動作も本実施形態で説明したものに限定に限定されず、種々の変形実施が可能である。
【符号の説明】
【０１２１】
１０  撮像部（第１の撮像部）、１１  光学素子、１１ａ，１１ｂ，１１ｄ  レンズ、
１１ｃ  絞り機構、１３  撮像素子、１７  光学ズーム制御部、１９  ＡＥ制御部、
２０  制御部、２１  ＡＦ制御部、２３  撮像素子駆動部、２５  操作部、
２５ａ  シャッター釦、２５ｂ  ズームレバー、２５ｃ  モード選択部、２９  表示部、
３０  画像処理部、３１  前処理部、３３  解像度調整部、３５  画素数変換部、
３７  画像圧縮部、３９  表示制御部、４０  処理部、４１  第１の検出部、
４３  メモリインタフェース、４４  第２の検出部、４５  認証部、４６  設定部、
４７  モーションセンサ、４８  決定部（切替部）、４９  第２の撮像部、
５０  記憶部、５１  第３の検出部、５３  データメモリ、５５  記録媒体、
５７  バッファメモリ、１００  撮像装置
【図１】
2011244271.tif 000003
【図２】
2011244271.tif 000004
【図３】
2011244271.tif 000005
【図４】
2011244271.tif 000006
【図５】
2011244271.tif 000007
【図６】
2011244271.tif 000008
【図７】
2011244271.tif 000009
【図８】
2011244271.tif 000010
【図９】
2011244271.tif 000011
【図１０】
2011244271.tif 000012
【図１１】
2011244271.tif 000013
【図１２】
2011244271.tif 000014
【図１３】
2011244271.tif 000015
【図１４】
2011244271.tif 000016
【図１５】
2011244271.tif 000017
【図１６】
2011244271.tif 000018